(57)【要約】      （修正有）【課題】スリーブに脱着可能に嵌め設けることにより、スリーブの落下を防止することが可能な脱着式工具安全止め輪を提供する。【解決手段】スリーブ１に脱着可能に嵌め設けられていることにより、スリーブ１の空気駆動工具からの離脱を防止可能であり、スリーブ１に組み付けられており、その一端に組付け部２２が形成されているソケット２と、ソケット２の組付け部２２に設けられており、空気駆動工具と連結している制御ユニット３と、を含む脱着式工具安全止め輪Ａにおいて、制御ユニット３をソケット２に対して相対的に移動することにより、スリーブ１に脱着可能に嵌め設けられているソケット２は、スリーブ１から離脱することが可能である。【選択図】図２
0003192222.tif 000002
【実用新案登録請求の範囲】
【請求項１】
スリーブに脱着可能に嵌め設けられていることにより、前記スリーブの空気駆動工具からの落下を防止可能であり、前記スリーブに組み付けられており、その一端に組付け部が形成されているソケットと、前記ソケットの前記組付け部に設けられており、前記空気駆動工具と連結している制御ユニットと、を含む脱着式工具安全止め輪において、
前記制御ユニットを前記ソケットに対して相対的に移動することにより、前記スリーブに脱着可能に嵌め設けられている前記ソケットは、前記スリーブから離脱することが可能であることを特徴とする脱着式工具安全止め輪。
【請求項２】
前記制御ユニットは、スライド具と、弾性具と、規制具と、少なくとも二つの玉と、を含むことを特徴とする、請求項１に記載の脱着式工具安全止め輪。
【請求項３】
前記弾性具、前記スライド具、前記二つの玉及び前記規制具は、前記組付け部に順次に組み付けられており、前記スライド具は、前記弾性具を前記組付け部に規制しており、前記組付け部に対して相対的にスライドすることが可能であり、前記規制具は前記スライド具を前記組付け部に規制しており、これらの前記玉は、前記スライド具と前記組付け部の間にスライド可能に設けられていることを特徴とする、請求項２に記載の脱着式工具安全止め輪。
【請求項４】
前記スライド具の外周面に環状突起が設けられており、前記環状突起は前記空気駆動工具に連結されていることを特徴とする、請求項２に記載の脱着式工具安全止め輪。
【請求項５】
前記ソケットは、前記組付け部に設けられている二つの玉収容穴を有し、これらの前記玉は、移動することが可能であり、これらの前記玉収容穴に収容されており、前記スライド具を前記ソケットの前記組付け部に対して相対的にスライドしているときに、これらの前記玉は、これらの前記玉収容穴に嵌め込んでおり、且つ前記スリーブの溝に嵌め込んで前記溝と係合していることを特徴とする、請求項３に記載の脱着式工具安全止め輪。
【請求項６】
前記ソケットは、前記組付け部に設けられている係り溝を有し、前記規制具は、前記係り溝に設けられており、前記スライド具が前記組付け部をスライドするように規制されていることを特徴とする、請求項２又は請求項３に記載の脱着式工具安全止め輪。
【請求項７】
前記スライド具の内面には、枢着貫通孔と、前記枢着貫通孔からそれぞれ形成されている第１止め具及び第２止め具と、が設けられており、前記第１止め具と前記第２止め具の間には、これらの前記玉を収容するための玉収容室が設けられており、前記玉収容室は、前記スライド具と前記組付け部の間に位置しており、前記スライド具の移動により、これらの前記玉は、前記玉収容室から前記第１止め具に移動して、前記玉収容穴に嵌め込んで、前記スリーブの前記溝に嵌め込んで前記溝と係合しており、前記第２止め具が前記規制具に規制されていることにより、前記スライド具が前記組付け部をスライドするように規制されていることを特徴とする、請求項５に記載の脱着式工具安全止め輪。
【請求項８】
前記第１止め具は、前記玉収容室に対応する案内斜面を有し、前記スライド具の移動により、これらの前記玉は、前記玉収容室から、前記案内斜面を経由して、前記第１止め具に移動することを特徴とする、請求項７に記載の脱着式工具安全止め輪。
【考案の詳細な説明】
【技術分野】
【０００１】
本考案は、脱着式工具安全止め輪に関し、特に、スリーブに脱着可能に嵌め設けることにより、スリーブの落下を防止することが可能な脱着式工具安全止め輪に関するものである。
【背景技術】
【０００２】
各種類の空気駆動工具、又は電動工具によって、ボルトやナットをねじ込むときには、スリーブを利用することが一般的である。前記スリーブは、空気駆動工具や電動工具のケースから前方に突出しているドリルなどに取り付けられており、又は空気駆動工具や電動工具の出力軸に直接に取り付けられている。このように、操作ミスにより前記スリーブが落下する可能性がある。前記スリーブが落下すると、ユーザが傷付けられ、又は空気駆動工具や電動工具が損壊することがある。上記の問題を解決するために、特許文献１の中国特許第ＣＮ１０２７９１４３１号（以下、「従来技術」と称し）が提案された。このようなものは、電動工具用のスリーブ付きドライバー（又は、「スリーブ」と称し）の落下を防止することが可能であり、前記スリーブ付きドライバーの外周面にリングが設けられており、連接バンドにより前記リングと前記電動工具が連結している。
【０００３】
しかしながら、前記スリーブ付きドライバーの落下を防止するために、前記スリーブ付きドライバーに前記リングを設けることが必要であり、前記リングにより、前記スリーブ付きドライバーが前記電動工具と連結している。このような設計により、前記スリーブ付きドライバーの生産コストが増加し、構造が複雑となり、そして前記電動工具に前記スリーブ付きドライバーを取り付ける作業が便利ではないという問題があった。
【先行技術文献】
【特許文献】
【０００４】
【特許文献１】中国特許第ＣＮ１０２７９１４３１号公報
【考案の概要】
【考案が解決しようとする課題】
【０００５】
本考案の主な目的は、スリーブの空気駆動工具からの落下を防止することが可能な脱着式工具安全止め輪を提供することにある。
【０００６】
本考案の次の目的は、止め輪を回転することにより、ユーザは、空気駆動工具からスリーブを容易に取り外し、又は空気駆動工具にスリーブを容易に取り付けることが可能な脱着式工具安全止め輪を提供することにある。
【０００７】
本考案の別の目的は、スリーブの寸法を見て、相応しい止め輪を使用することにより、各寸法を有するスリーブに止め輪を組付けることが可能であり、各寸法を有するスリーブの空気駆動工具からの落下を防止することが可能な脱着式工具安全止め輪を提供することにある。
【課題を解決するための手段】
【０００８】
本考案の脱着式工具安全止め輪によると、スリーブに脱着可能に嵌め設けられていることにより、スリーブの空気駆動工具からの落下を防止可能であり、スリーブに組み付けられており、その一端に組付け部が形成されているソケットと、ソケットの組付け部に設けられており、空気駆動工具と連結している制御ユニットと、を含む脱着式工具安全止め輪において、制御ユニットをソケットに対して相対的に移動することにより、スリーブに脱着可能に嵌め設けられているソケットは、スリーブから離脱することが可能であることを特徴とする。
【０００９】
本考案の脱着式工具安全止め輪によると、制御ユニットは、スライド具と、弾性具と、規制具と、少なくとも二つの玉と、を含むことを特徴とする。
【００１０】
本考案の脱着式工具安全止め輪によると、弾性具、スライド具、二つの玉及び規制具は、組付け部に順次に組み付けられており、スライド具は、弾性具を組付け部に規制しており、組付け部に対して相対的にスライドすることが可能であり、規制具はスライド具を組付け部に規制しており、これらの玉は、スライド具と組付け部の間にスライド可能に設けられていることを特徴とする。
【００１１】
本考案の脱着式工具安全止め輪によると、スライド具の外周面に環状突起が設けられており、環状突起は空気駆動工具に連結されていることを特徴とする。
【００１２】
本考案の脱着式工具安全止め輪によると、ソケットは、組付け部に設けられている二つの玉収容穴を有し、これらの玉は、移動することが可能であり、これらの玉収容穴に収容されており、スライド具をソケットの組付け部に対して相対的にスライドしているときに、これらの玉は、これらの玉収容穴に嵌め込んでおり、且つスリーブの溝に嵌め込んで溝と係合していることを特徴とする。
【００１３】
本考案の脱着式工具安全止め輪によると、ソケットは、組付け部に設けられている係り溝を有し、規制具は、係り溝に設けられており、スライド具が組付け部をスライドするように規制されていることを特徴とする。
【００１４】
本考案の脱着式工具安全止め輪によると、スライド具の内面には、枢着貫通孔と、枢着貫通孔からそれぞれ形成されている第１止め具及び第２止め具と、が設けられており、第１止め具と第２止め具の間には、これらの玉を収容するための玉収容室が設けられており、玉収容室は、スライド具と組付け部の間に位置しており、スライド具の移動により、これらの玉は、玉収容室から第１止め具に移動して、玉収容穴に嵌め込んで、スリーブの溝に嵌め込んで溝と係合しており、第２止め具が規制具に規制されていることにより、スライド具が組付け部をスライドするように規制されていることを特徴とする。
【００１５】
本考案の脱着式工具安全止め輪によると、第１止め具は、玉収容室に対応する案内斜面を有し、スライド具の移動により、これらの玉は、玉収容室から、案内斜面を経由して、第１止め具に移動することを特徴とする。
【考案の効果】
【００１６】
本考案の脱着式工具安全止め輪によれば、次のような効果がある。
（１）スリーブの空気駆動工具からの落下を防止することが可能である。
【００１７】
（２）止め輪をスリーブに脱着可能に設けることにより、ユーザは、スリーブから脱着式工具安全止め輪を容易に取り外し、又はスリーブに脱着式工具安全止め輪を容易に取り付けることが可能であり、収納及び携帯が便利となる。
【００１８】
（３）スリーブの寸法を見て、相応しい止め輪を使用することにより、各寸法を有するスリーブに止め輪を組付けることが可能であり、各寸法を有するスリーブの空気駆動工具からの落下を防止することが可能である。
【００１９】
（４）脱着式工具安全止め輪を利用することにより、スリーブの構造を複雑にすることが必要せず、スリーブの空気駆動工具からの落下を防止することが可能である。
【図面の簡単な説明】
【００２０】
【図１】本考案の一実施例とスリーブの組合を示す斜視図である。
【図２】本考案の一実施例とスリーブの組合を示す分解斜視図である。
【図３】本考案の一実施例を示す分解斜視図である。
【図４】本考案の一実施例の組合済み状態を示す断面図である。
【図５】本考案の一実施例とスリーブの組合を示す断面図１である。
【図５Ａ】図５の一部を示す拡大図であって、スライド具の内面の構造を示し、これは、枢着貫通孔と、第１止め具と、第２止め具と、玉収容室と、案内斜面とを含む。
【図６】本考案の一実施例とスリーブの組合を示す断面図２であって、スリーブは、空気駆動工具に組み付けられており、本考案の一実施例により空気駆動工具に連結されている。
【図７】本考案の一実施例とスリーブの組合を示す模式図であって、スリーブが空気駆動工具から離脱する場合には、本考案の一実施例により、スリーブが、空気駆動工具と連結しており、地面に落下することはない。
【考案を実施するための形態】
【００２１】
以下、本考案の実施の形態を図面に基づいて説明する。
図１から図７を参照する。図１は本考案の一実施例とスリーブの組合を示す斜視図であり、図２は本考案の一実施例とスリーブの組合を示す分解斜視図であり、図３は本考案の一実施例を示す分解斜視図であり、図４は本考案の一実施例の組合済み状態を示す断面図であり、図５は本考案の一実施例とスリーブの組合を示す断面図１であり、図５Ａは、図５の一部を示す拡大図であって、スライド具の内面の構造を示し、これは、枢着貫通孔と、第１止め具と、第２止め具と、玉収容室と、案内斜面と、を含み、図６は、本考案の一実施例とスリーブの組合を示す断面図２であって、スリーブは、空気駆動工具に組み付けられており、本考案の一実施例により空気駆動工具に連結されており、図７は、本考案の一実施例とスリーブの組合を示す模式図であって、スリーブが空気駆動工具から離脱する場合には、本考案の一実施例により、スリーブが、空気駆動工具と連結しており、地面に落下することはない。
本考案の一実施例の脱着式工具安全止め輪Ａは、スリーブ１に脱着可能に嵌め設けられていることにより、スリーブ１が空気駆動工具５から不意に離脱しても、スリーブ１の落下を防止することが可能である。具体的には、図７に示すように、スリーブ１が空気駆動工具５から不意に離脱するときには、脱着式工具安全止め輪Ａが空気駆動工具５と連結しているため、スリーブ１の落下を防止することが可能である。脱着式工具安全止め輪Ａは、ソケット２と、制御ユニット３と、を含む。
【００２２】
ソケット２は、図１から図４及び図７に示すように、スリーブ１に組み付けられており、その一端に組付け部２２が形成されている。制御ユニット３は、ソケット２の組付け部２２に設けられており、空気駆動工具５と連結している。制御ユニット３をソケット２に対して相対的に移動することにより、スリーブ１に脱着可能に嵌め設けられているソケット２は、スリーブ１から離脱することが可能である。このように、スリーブ１が空気駆動工具５から不意に離脱するときには、スリーブ１の落下を防止することが可能である。ソケット２は、金属で作製されたものであり、組付け部２２に設けられている二つの玉収容穴２４と、組付け部２２に設けられている係り溝２６と、を有する。
【００２３】
制御ユニット３は、図３及び図４に示すように、スライド具３１と、弾性具３２と、規制具３４と、二つの玉３３と、を含む。弾性具３２、スライド具３１、二つの玉３３及び規制具３４は、組付け部２２に順次に組み付けられている。本実施例のスライド具３１は、組付け部２２をスライドし、金属で作製されたものである。弾性具３２は、バネであり、ソケット２の組付け部２２に組み付けられており、スライド具３１に規制されている。弾性具３２の弾力により、スライド具３１の回復力が提供される。規制具３４は、Ｃリングであり、組付け部２２の係り溝２６に設けられている。これらの玉３３は、図５Ａに示すように、スチール玉であり、スライド具３１の玉収容室３１５に収容されている。このように、ソケット２の組付け部２２に制御ユニット３を組付けた後、スライド具３１はソケット２の組付け部２２に対して相対的にスライドすることが可能であり、そしてスライド具３１により、弾性具３２が組付け部２２に規制されており、規制具３４により、スライド具３１が組付け部２２をスライドするように規制されており、二つの玉３３は、規制されてスライド具３１と組付け部２２の間に移動することが可能である。
【００２４】
これらの玉３３は、図５及び図６に示すように、移動することが可能であり、これらの玉収容穴２４に収容されている。スライド具３１をソケット２の組付け部２２に対して相対的にスライドしているときに、これらの玉３３は、これらの玉収容穴２４に嵌め込んでおり、図２に示すように、スリーブ１の溝１２に嵌め込んで溝１２と係合している。一方、規制具３４は、図２及び図３に示すように、係り溝２６に設けられており、これにより、スライド具３１が組付け部２２をスライドするように規制されており、スライド具３１はソケット２から離脱することができない。
【００２５】
図５と図５Ａに示すように、スライド具３１の外周面に環状突起３１１が設けられている。環状突起３１１により、ユーザはスライド具３１を便利に移動することが可能である。スライド具３１は、環状突起３１１の連接穴４０と連接バンド４１とを介して、空気駆動工具５と連結している。スライド具３１の内面には、枢着貫通孔３１２と、枢着貫通孔３１２からそれぞれ形成されている第１止め具３１３及び第２止め具３１４と、が設けられている。枢着貫通孔３１２は組付け部３３を収容することが可能である。第１止め具３１３と第２止め具３１４の間には、これらの玉３３を収容するための玉収容室３１５が設けられている。玉収容室３１５は、スライド具３１と組付け部２２の間に位置している。
【００２６】
図３、図４及び図５Ａを参照する。具体的には、第２止め具３１４が規制具３４に規制されており、これにより、スライド具３１が組付け部２２をスライドするように規制されている。第１止め具３１３は、玉収容室３１５に対応する案内斜面３１６を有する。スライド具３１の移動により、これらの玉３３は、玉収容室３１５から、案内斜面３１６を経由して、第１止め具３１３に移動する。このように、第１止め具３１３は、玉３３を移動して玉収容穴２４に嵌め込んで、図２に示すように、玉３３がスリーブ１の溝１２に嵌め込まれている。これにより、スリーブ１に脱着式工具安全止め輪Ａを定位することが可能である。
【００２７】
次に、図５から図７を参照しながら本考案の使用状態を説明する。図２に示すように、スリーブ１の溝１２に脱着式工具安全止め輪Ａを定位したいときには、制御ユニット３のスライド具３１をスライドすることにより、弾性具３２がスライド具３１の第１止め具３１３に圧縮されて、玉３３がスライド具３１の玉収容室３１５とソケット２の玉収容穴２４に収容され、このとき、スリーブ１の外周面にソケット２を組付けることが可能であり、玉３３がスリーブ１の溝１２と係合していない。スライド具３１に加える力を無くすときには、弾性具３２の弾力により、スライド具３１が本来の位置に戻して、スライド具３１の第２止め具３１４が規制具３４に押付けている。このとき、玉３３は、案内斜面３１６を経由して、第１止め具３１３に押付けられて、ソケット２の玉収容穴２４から突出して、スリーブ１の溝１２と係合している。このように、脱着式工具安全止め輪Ａはスリーブ１に定位されている。スライド具３１の環状突起３１１は、連接バンド４１を介して空気駆動工具５と連結しているため、スリーブ１が脱落しても、ユーザを傷付けることはなく、そしてスリーブ１が損壊しない。
【００２８】
上記の説明から明らかなように、制御ユニット３をソケット２に対して相対的に移動することにより、ソケット２をスリーブ１に脱着可能に設けることが可能となる。
【産業上の利用可能性】
【００２９】
本考案は、空気駆動工具及び電動工具に適用することができる。
【符号の説明】
【００３０】
１：スリーブ
２：ソケット
３：制御ユニット
５：空気駆動工具
１２：溝
２２：組付け部
２４：玉収容穴
２６：係り溝
３１：スライド具
３２：弾性具
３３：玉
３４：規制具
４０：連接穴
４１：連接バンド
３１１：環状突起
３１２：枢着貫通孔
３１３：第１止め具
３１４：第２止め具
３１５：玉収容室
３１６：案内斜面
Ａ：脱着式工具安全止め輪
【図１】
0003192222.tif 000003
【図２】
0003192222.tif 000004
【図３】
0003192222.tif 000005
【図４】
0003192222.tif 000006
【図５】
0003192222.tif 000007
【図５Ａ】
0003192222.tif 000008
【図６】
0003192222.tif 000009
【図７】
0003192222.tif 000010
【手続補正書】
【提出日】平成25年12月6日(2013.12.6)
【手続補正１】
【補正対象書類名】実用新案登録請求の範囲
【補正対象項目名】全文
【補正方法】変更
【補正の内容】
【実用新案登録請求の範囲】
【請求項１】
スリーブに脱着可能に嵌め設けられていることにより、前記スリーブの空気駆動工具からの落下を防止可能であり、前記スリーブに組み付けられており、その一端に組付け部が形成されているソケットと、前記ソケットの前記組付け部に設けられており、前記空気駆動工具と連結している制御ユニットと、を含む脱着式工具安全止め輪において、
前記制御ユニットは、スライド具と、弾性具と、規制具と、少なくとも二つの玉と、を含み、
前記弾性具、前記スライド具、前記二つの玉及び前記規制具は、前記組付け部に順次に組み付けられており、前記スライド具は、前記弾性具を前記組付け部に規制しており、前記組付け部に対して相対的にスライドすることが可能であり、前記規制具は前記スライド具を前記組付け部に規制しており、これらの前記玉は、前記スライド具と前記組付け部の間にスライド可能に設けられており、
前記制御ユニットを前記ソケットに対して相対的に移動することにより、前記スリーブに脱着可能に嵌め設けられている前記ソケットは、前記スリーブから離脱することが可能であることを特徴とする脱着式工具安全止め輪。
【請求項２】
前記スライド具の外周面に環状突起が設けられており、前記環状突起は前記空気駆動工具に連結されていることを特徴とする、請求項１に記載の脱着式工具安全止め輪。
【請求項３】
前記ソケットは、前記組付け部に設けられている二つの玉収容穴を有し、これらの前記玉は、移動することが可能であり、これらの前記玉収容穴に収容されており、前記スライド具を前記ソケットの前記組付け部に対して相対的にスライドしているときに、これらの前記玉は、これらの前記玉収容穴に嵌め込んでおり、且つ前記スリーブの溝に嵌め込んで前記溝と係合していることを特徴とする、請求項１に記載の脱着式工具安全止め輪。
【請求項４】
前記ソケットは、前記組付け部に設けられている係り溝を有し、前記規制具は、前記係り溝に設けられており、前記スライド具が前記組付け部をスライドするように規制されていることを特徴とする、請求項１に記載の脱着式工具安全止め輪。
【請求項５】
前記スライド具の内面には、枢着貫通孔と、前記枢着貫通孔からそれぞれ形成されている第１止め具及び第２止め具と、が設けられており、前記第１止め具と前記第２止め具の間には、これらの前記玉を収容するための玉収容室が設けられており、前記玉収容室は、前記スライド具と前記組付け部の間に位置しており、前記スライド具の移動により、これらの前記玉は、前記玉収容室から前記第１止め具に移動して、前記玉収容穴に嵌め込んで、前記スリーブの前記溝に嵌め込んで前記溝と係合しており、前記第２止め具が前記規制具に規制されていることにより、前記スライド具が前記組付け部をスライドするように規制されていることを特徴とする、請求項３に記載の脱着式工具安全止め輪。
【請求項６】
前記第１止め具は、前記玉収容室に対応する案内斜面を有し、前記スライド具の移動により、これらの前記玉は、前記玉収容室から、前記案内斜面を経由して、前記第１止め具に移動することを特徴とする、請求項５に記載の脱着式工具安全止め輪。
【手続補正２】
【補正対象書類名】明細書
【補正対象項目名】全文
【補正方法】変更
【補正の内容】
【考案の詳細な説明】
【技術分野】
【０００１】
本考案は、脱着式工具安全止め輪に関し、特に、スリーブに脱着可能に嵌め設けることにより、スリーブの落下を防止することが可能な脱着式工具安全止め輪に関するものである。
【背景技術】
【０００２】
各種類の空気駆動工具、又は電動工具によって、ボルトやナットをねじ込むときには、スリーブを利用することが一般的である。前記スリーブは、空気駆動工具や電動工具のケースから前方に突出しているドリルなどに取り付けられており、又は空気駆動工具や電動工具の出力軸に直接に取り付けられている。このように、操作ミスにより前記スリーブが落下する可能性がある。前記スリーブが落下すると、ユーザが傷付けられ、又は空気駆動工具や電動工具が損壊することがある。上記の問題を解決するために、特許文献１の中国特許第ＣＮ１０２７９１４３１号（以下、「従来技術」と称し）が提案された。このようなものは、電動工具用のスリーブ付きドライバー（又は、「スリーブ」と称し）の落下を防止することが可能であり、前記スリーブ付きドライバーの外周面にリングが設けられており、連接バンドにより前記リングと前記電動工具が連結している。
【０００３】
しかしながら、前記スリーブ付きドライバーの落下を防止するために、前記スリーブ付きドライバーに前記リングを設けることが必要であり、前記リングにより、前記スリーブ付きドライバーが前記電動工具と連結している。このような設計により、前記スリーブ付きドライバーの生産コストが増加し、構造が複雑となり、そして前記電動工具に前記スリーブ付きドライバーを取り付ける作業が便利ではないという問題があった。
【先行技術文献】
【特許文献】
【０００４】
【特許文献１】中国特許第ＣＮ１０２７９１４３１号公報
【考案の概要】
【考案が解決しようとする課題】
【０００５】
本考案の主な目的は、スリーブの空気駆動工具からの落下を防止することが可能な脱着式工具安全止め輪を提供することにある。
【０００６】
本考案の次の目的は、止め輪を回転することにより、ユーザは、空気駆動工具からスリーブを容易に取り外し、又は空気駆動工具にスリーブを容易に取り付けることが可能な脱着式工具安全止め輪を提供することにある。
【０００７】
本考案の別の目的は、スリーブの寸法を見て、相応しい止め輪を使用することにより、各寸法を有するスリーブに止め輪を組付けることが可能であり、各寸法を有するスリーブの空気駆動工具からの落下を防止することが可能な脱着式工具安全止め輪を提供することにある。
【課題を解決するための手段】
【０００８】
本考案の脱着式工具安全止め輪によると、スリーブに脱着可能に嵌め設けられていることにより、前記スリーブの空気駆動工具からの落下を防止可能であり、前記スリーブに組み付けられており、その一端に組付け部が形成されているソケットと、前記ソケットの前記組付け部に設けられており、前記空気駆動工具と連結している制御ユニットと、を含む脱着式工具安全止め輪において、前記制御ユニットは、スライド具と、弾性具と、規制具と、少なくとも二つの玉と、を含み、前記弾性具、前記スライド具、前記二つの玉及び前記規制具は、前記組付け部に順次に組み付けられており、前記スライド具は、前記弾性具を前記組付け部に規制しており、前記組付け部に対して相対的にスライドすることが可能であり、前記規制具は前記スライド具を前記組付け部に規制しており、これらの前記玉は、前記スライド具と前記組付け部の間にスライド可能に設けられており、前記制御ユニットを前記ソケットに対して相対的に移動することにより、前記スリーブに脱着可能に嵌め設けられている前記ソケットは、前記スリーブから離脱することが可能であることを特徴とする。
【０００９】
本考案の脱着式工具安全止め輪によると、スライド具の外周面に環状突起が設けられており、環状突起は空気駆動工具に連結されていることを特徴とする。
【００１０】
本考案の脱着式工具安全止め輪によると、ソケットは、組付け部に設けられている二つの玉収容穴を有し、これらの玉は、移動することが可能であり、これらの玉収容穴に収容されており、スライド具をソケットの組付け部に対して相対的にスライドしているときに、これらの玉は、これらの玉収容穴に嵌め込んでおり、且つスリーブの溝に嵌め込んで溝と係合していることを特徴とする。
【００１１】
本考案の脱着式工具安全止め輪によると、ソケットは、組付け部に設けられている係り溝を有し、規制具は、係り溝に設けられており、スライド具が組付け部をスライドするように規制されていることを特徴とする。
【００１２】
本考案の脱着式工具安全止め輪によると、スライド具の内面には、枢着貫通孔と、枢着貫通孔からそれぞれ形成されている第１止め具及び第２止め具と、が設けられており、第１止め具と第２止め具の間には、これらの玉を収容するための玉収容室が設けられており、玉収容室は、スライド具と組付け部の間に位置しており、スライド具の移動により、これらの玉は、玉収容室から第１止め具に移動して、玉収容穴に嵌め込んで、スリーブの溝に嵌め込んで溝と係合しており、第２止め具が規制具に規制されていることにより、スライド具が組付け部をスライドするように規制されていることを特徴とする。
【００１３】
本考案の脱着式工具安全止め輪によると、第１止め具は、玉収容室に対応する案内斜面を有し、スライド具の移動により、これらの玉は、玉収容室から、案内斜面を経由して、第１止め具に移動することを特徴とする。
【考案の効果】
【００１４】
本考案の脱着式工具安全止め輪によれば、次のような効果がある。
（１）スリーブの空気駆動工具からの落下を防止することが可能である。
【００１５】
（２）止め輪をスリーブに脱着可能に設けることにより、ユーザは、スリーブから脱着式工具安全止め輪を容易に取り外し、又はスリーブに脱着式工具安全止め輪を容易に取り付けることが可能であり、収納及び携帯が便利となる。
【００１６】
（３）スリーブの寸法を見て、相応しい止め輪を使用することにより、各寸法を有するスリーブに止め輪を組付けることが可能であり、各寸法を有するスリーブの空気駆動工具からの落下を防止することが可能である。
【００１７】
（４）脱着式工具安全止め輪を利用することにより、スリーブの構造を複雑にすることが必要せず、スリーブの空気駆動工具からの落下を防止することが可能である。
【図面の簡単な説明】
【００１８】
【図１】本考案の一実施例とスリーブの組合を示す斜視図である。
【図２】本考案の一実施例とスリーブの組合を示す分解斜視図である。
【図３】本考案の一実施例を示す分解斜視図である。
【図４】本考案の一実施例の組合済み状態を示す断面図である。
【図５】本考案の一実施例とスリーブの組合を示す断面図１である。
【図５Ａ】図５の一部を示す拡大図であって、スライド具の内面の構造を示し、これは、枢着貫通孔と、第１止め具と、第２止め具と、玉収容室と、案内斜面とを含む。
【図６】本考案の一実施例とスリーブの組合を示す断面図２であって、スリーブは、空気駆動工具に組み付けられており、本考案の一実施例により空気駆動工具に連結されている。
【図７】本考案の一実施例とスリーブの組合を示す模式図であって、スリーブが空気駆動工具から離脱する場合には、本考案の一実施例により、スリーブが、空気駆動工具と連結しており、地面に落下することはない。
【考案を実施するための形態】
【００１９】
以下、本考案の実施の形態を図面に基づいて説明する。
図１から図７を参照する。図１は本考案の一実施例とスリーブの組合を示す斜視図であり、図２は本考案の一実施例とスリーブの組合を示す分解斜視図であり、図３は本考案の一実施例を示す分解斜視図であり、図４は本考案の一実施例の組合済み状態を示す断面図であり、図５は本考案の一実施例とスリーブの組合を示す断面図１であり、図５Ａは、図５の一部を示す拡大図であって、スライド具の内面の構造を示し、これは、枢着貫通孔と、第１止め具と、第２止め具と、玉収容室と、案内斜面と、を含み、図６は、本考案の一実施例とスリーブの組合を示す断面図２であって、スリーブは、空気駆動工具に組み付けられており、本考案の一実施例により空気駆動工具に連結されており、図７は、本考案の一実施例とスリーブの組合を示す模式図であって、スリーブが空気駆動工具から離脱する場合には、本考案の一実施例により、スリーブが、空気駆動工具と連結しており、地面に落下することはない。
本考案の一実施例の脱着式工具安全止め輪Ａは、スリーブ１に脱着可能に嵌め設けられていることにより、スリーブ１が空気駆動工具５から不意に離脱しても、スリーブ１の落下を防止することが可能である。具体的には、図７に示すように、スリーブ１が空気駆動工具５から不意に離脱するときには、脱着式工具安全止め輪Ａが空気駆動工具５と連結しているため、スリーブ１の落下を防止することが可能である。脱着式工具安全止め輪Ａは、ソケット２と、制御ユニット３と、を含む。
【００２０】
ソケット２は、図１から図４及び図７に示すように、スリーブ１に組み付けられており、その一端に組付け部２２が形成されている。制御ユニット３は、ソケット２の組付け部２２に設けられており、空気駆動工具５と連結している。制御ユニット３をソケット２に対して相対的に移動することにより、スリーブ１に脱着可能に嵌め設けられているソケット２は、スリーブ１から離脱することが可能である。このように、スリーブ１が空気駆動工具５から不意に離脱するときには、スリーブ１の落下を防止することが可能である。ソケット２は、金属で作製されたものであり、組付け部２２に設けられている二つの玉収容穴２４と、組付け部２２に設けられている係り溝２６と、を有する。
【００２１】
制御ユニット３は、図３及び図４に示すように、スライド具３１と、弾性具３２と、規制具３４と、二つの玉３３と、を含む。弾性具３２、スライド具３１、二つの玉３３及び規制具３４は、組付け部２２に順次に組み付けられている。本実施例のスライド具３１は、組付け部２２をスライドし、金属で作製されたものである。弾性具３２は、バネであり、ソケット２の組付け部２２に組み付けられており、スライド具３１に規制されている。弾性具３２の弾力により、スライド具３１の回復力が提供される。規制具３４は、Ｃリングであり、組付け部２２の係り溝２６に設けられている。これらの玉３３は、図５Ａに示すように、スチール玉であり、スライド具３１の玉収容室３１５に収容されている。このように、ソケット２の組付け部２２に制御ユニット３を組付けた後、スライド具３１はソケット２の組付け部２２に対して相対的にスライドすることが可能であり、そしてスライド具３１により、弾性具３２が組付け部２２に規制されており、規制具３４により、スライド具３１が組付け部２２をスライドするように規制されており、二つの玉３３は、規制されてスライド具３１と組付け部２２の間に移動することが可能である。
【００２２】
これらの玉３３は、図５及び図６に示すように、移動することが可能であり、これらの玉収容穴２４に収容されている。スライド具３１をソケット２の組付け部２２に対して相対的にスライドしているときに、これらの玉３３は、これらの玉収容穴２４に嵌め込んでおり、図２に示すように、スリーブ１の溝１２に嵌め込んで溝１２と係合している。一方、規制具３４は、図２及び図３に示すように、係り溝２６に設けられており、これにより、スライド具３１が組付け部２２をスライドするように規制されており、スライド具３１はソケット２から離脱することができない。
【００２３】
図５と図５Ａに示すように、スライド具３１の外周面に環状突起３１１が設けられている。環状突起３１１により、ユーザはスライド具３１を便利に移動することが可能である。スライド具３１は、環状突起３１１の連接穴４０と連接バンド４１とを介して、空気駆動工具５と連結している。スライド具３１の内面には、枢着貫通孔３１２と、枢着貫通孔３１２からそれぞれ形成されている第１止め具３１３及び第２止め具３１４と、が設けられている。枢着貫通孔３１２は組付け部３３を収容することが可能である。第１止め具３１３と第２止め具３１４の間には、これらの玉３３を収容するための玉収容室３１５が設けられている。玉収容室３１５は、スライド具３１と組付け部２２の間に位置している。
【００２４】
図３、図４及び図５Ａを参照する。具体的には、第２止め具３１４が規制具３４に規制されており、これにより、スライド具３１が組付け部２２をスライドするように規制されている。第１止め具３１３は、玉収容室３１５に対応する案内斜面３１６を有する。スライド具３１の移動により、これらの玉３３は、玉収容室３１５から、案内斜面３１６を経由して、第１止め具３１３に移動する。このように、第１止め具３１３は、玉３３を移動して玉収容穴２４に嵌め込んで、図２に示すように、玉３３がスリーブ１の溝１２に嵌め込まれている。これにより、スリーブ１に脱着式工具安全止め輪Ａを定位することが可能である。
【００２５】
次に、図５から図７を参照しながら本考案の使用状態を説明する。図２に示すように、スリーブ１の溝１２に脱着式工具安全止め輪Ａを定位したいときには、制御ユニット３のスライド具３１をスライドすることにより、弾性具３２がスライド具３１の第１止め具３１３に圧縮されて、玉３３がスライド具３１の玉収容室３１５とソケット２の玉収容穴２４に収容され、このとき、スリーブ１の外周面にソケット２を組付けることが可能であり、玉３３がスリーブ１の溝１２と係合していない。スライド具３１に加える力を無くすときには、弾性具３２の弾力により、スライド具３１が本来の位置に戻して、スライド具３１の第２止め具３１４が規制具３４に押付けている。このとき、玉３３は、案内斜面３１６を経由して、第１止め具３１３に押付けられて、ソケット２の玉収容穴２４から突出して、スリーブ１の溝１２と係合している。このように、脱着式工具安全止め輪Ａはスリーブ１に定位されている。スライド具３１の環状突起３１１は、連接バンド４１を介して空気駆動工具５と連結しているため、スリーブ１が脱落しても、ユーザを傷付けることはなく、そしてスリーブ１が損壊しない。
【００２６】
上記の説明から明らかなように、制御ユニット３をソケット２に対して相対的に移動することにより、ソケット２をスリーブ１に脱着可能に設けることが可能となる。
【産業上の利用可能性】
【００２７】
本考案は、空気駆動工具及び電動工具に適用することができる。
【符号の説明】
【００２８】
１：スリーブ
２：ソケット
３：制御ユニット
５：空気駆動工具
１２：溝
２２：組付け部
２４：玉収容穴
２６：係り溝
３１：スライド具
３２：弾性具
３３：玉
３４：規制具
４０：連接穴
４１：連接バンド
３１１：環状突起
３１２：枢着貫通孔
３１３：第１止め具
３１４：第２止め具
３１５：玉収容室
３１６：案内斜面
Ａ：脱着式工具安全止め輪